(57)【特許請求の範囲】
【請求項１】
浴室の天井壁に設置されるケース本体と、浴室内の空気を前記ケース本体の内部空間との間で循環させる循環ファンと、循環ファンによって前記内部空間に取り込まれた空気を加熱する熱交換器と、浴室内の空気を屋外へ排出する換気ファンとを備えた浴室暖房乾燥機であって、
前記ケース本体には、循環ファンによって前記内部空間に取り込まれた空気を浴室内へ導出させる主導風路と副導風路とが各別に設けられ、
前記主導風路の下流側の開口である第１吹出口には、主導風路へ送り込まれた空気の吹出方向を一方側または他方側へ変向可能なルーバーが設けられ、
前記副導風路の下流側の開口である第２吹出口は、第１吹出口に隣接し、且つ、副導風路へ送り込まれた空気の吹出方向が一方側へ向く位置に開設され、
衣類乾燥運転時には、循環ファンおよび換気ファンを作動させ、熱交換器によって加熱された空気を第２吹出口から一方側方向へ送り出すとともに、前記加熱された空気が第１吹出口から他方側方向へ送り出されるようルーバーを設定する第１の衣類乾燥運転の実行手段と、
循環ファンおよび換気ファンを作動させ、熱交換器によって加熱された空気を第２吹出口から一方側方向へ送り出すとともに、前記加熱された空気が第１吹出口から一方側方向へ送り出されるようルーバーを設定する第２の衣類乾燥運転の実行手段とを備えた、浴室暖房乾燥機。
【請求項２】
請求項１に記載の浴室暖房乾燥機において、
前記ルーバーが前記第１吹出口を閉塞可能に構成され、
暖房運転時には、循環ファンを所定の強回転数で作動させ、前記熱交換器によって加熱された空気を第２吹出口から前記一方側方向へ送り出すとともに、前記加熱された空気が第１吹出口から前記一方側方向へ送り出されるようルーバーを所定の開位置に設定する強風暖房運転の実行手段と、
循環ファンを所定の弱回転数で作動させ、前記加熱された空気を第２吹出口から前記一方側方向へ送り出すとともに、前記第１吹出口が閉塞されるようルーバーを閉位置に設定する弱風暖房運転の実行手段とを備えた、浴室暖房乾燥機。
【発明の詳細な説明】
【技術分野】
【０００１】
本発明は、浴室暖房乾燥機、特に、浴室の天井壁に埋設して使用される浴室暖房乾燥機に関する。
【背景技術】
【０００２】
近年、浴室内において衣類の乾燥を行えるようにするため、浴室の天井壁で且つ浴槽の上方位置に浴室暖房乾燥機を埋設し、その浴室暖房乾燥機の下方にランドリーパイプを架設したユニットバス等の浴室形態が提案されている。
【０００３】
そして、このような浴室の天井壁に埋設される従来の浴室暖房乾燥機として、衣類乾燥運転中に温風の吹出方向を常に変化させ、ランドリーパイプに吊り下げられる衣類全体に満遍なく温風を吹き付けることで乾きムラの解消を図ったものが知られている（例えば、特許文献１参照）。
【先行技術文献】
【特許文献】
【０００４】
【特許文献１】特開２００１−１１６２７６号公報
【発明の概要】
【発明が解決しようとする課題】
【０００５】
具体的には、図７に示すように、上記従来の浴室暖房乾燥機９のケース本体９１内には、循環ファン９３の配設部から下方へ向かって単一の導風路９０１が形成されており、上記循環ファン９３を回転させることで、浴室４内の空気が熱交換器９４の配設部を通過した後、上記導風路９０１を通ってその下方の浴槽側（ランドリーパイプ４８，４９側）へ送り出される。また、ランドリーパイプ４８，４９は、一定距離離間させて設けられており、衣類も一定の幅を有するため、導風路９０１の下流側には、両端の支軸部を中心に所定範囲内で回動可能なルーバー９６が設けられている。従って、衣類乾燥運転の際には、このルーバー９６をスウィング動作させることで、温風の吹出方向を常に変化させ、ランドリーパイプ４８，４９に吊り下げられた衣類全体に温風を満遍なく吹き付けることができる。
【０００６】
しかしながら、このようにルーバーをスイング動作させて衣類乾燥を行うと、衣類に対して温風の当たっている箇所と当たっていない箇所とが常に変化するから、その分、衣類全体が均一な乾燥状態となるまでに長い時間を要した。
【０００７】
本発明は、上記課題を解決するためになされたものであり、本発明の目的は、天井埋設型の浴室暖房乾燥機において、衣類乾燥効率の向上を図ることにある。
【課題を解決するための手段】
【０００８】
本発明は、浴室の天井壁に設置されるケース本体と、浴室内の空気を前記ケース本体の内部空間との間で循環させる循環ファンと、循環ファンによって前記内部空間に取り込まれた空気を加熱する熱交換器と、浴室内の空気を屋外へ排出する換気ファンとを備えた浴室暖房乾燥機であって、前記ケース本体には、循環ファンによって前記内部空間に取り込まれた空気を浴室内へ導出させる主導風路と副導風路とが各別に設けられ、前記主導風路の下流側の開口である第１吹出口には、主導風路へ送り込まれた空気の吹出方向を一方側または他方側へ変向可能なルーバーが設けられ、前記副導風路の下流側の開口である第２吹出口は、第１吹出口に隣接し、且つ、副導風路へ送り込まれた空気の吹出方向が一方側へ向く位置に開設され、衣類乾燥運転時には、循環ファンおよび換気ファンを作動させ、熱交換器によって加熱された空気を第２吹出口から一方側方向へ送り出すとともに、前記加熱された空気が第１吹出口から他方側方向へ送り出されるようルーバーを設定する第１の衣類乾燥運転の実行手段と、循環ファンおよび換気ファンを作動させ、熱交換器によって加熱された空気を第２吹出口から一方側方向へ送り出すとともに、前記加熱された空気が第１吹出口から一方側方向へ送り出されるようルーバーを設定する第２の衣類乾燥運転の実行手段とを備えたものである。
【０００９】
このものでは、浴室内の空気を換気ファンによって屋外へ排出させるとともに、熱交換器で加熱しつつ循環ファンによって循環させる衣類乾燥運転の際、主導風路から第１吹出口を介して浴室の一方側（例えば、洗い場側）へ温風を送り出すと同時に、副導風路から第２吹出口を介して浴室の他方側（例えば、浴槽側）へも温風を送り出すことができる。従って、この浴室暖房乾燥機の下方に二本のランドリーパイプを横並びで架設させる場合には、それらランドリーパイプに吊り下げられた衣類全体へ常時温風が吹き当てられ、衣類の乾燥を全体で均一に進行させることが可能である。
また、上記ランドリーパイプのうち一方側のランドリーパイプにのみ衣類を吊り下げて乾燥を行う場合は、熱交換器で加熱された空気が第１吹出口から一方側方向へ送り出されるようルーバーを設定すれば、隣接配置された第１吹出口および第２吹出口から浴室の一方側（例えば、洗い場側）へ向けて集中的に温風を送り出すことができるから、その一方側のランドリーパイプに吊り下げられた衣類の乾燥を全体で均一に且つ速やかに進行させることが可能である。
【００１０】
上記浴室暖房乾燥機において、前記ルーバーが前記第１吹出口を閉塞可能に構成され、暖房運転時には、循環ファンを所定の強回転数で作動させ、前記熱交換器によって加熱された空気を第２吹出口から前記一方側方向へ送り出すとともに、前記加熱された空気が第１吹出口から前記一方側方向へ送り出されるようルーバーを所定の開位置に設定する強風暖房運転の実行手段と、循環ファンを所定の弱回転数で作動させ、前記加熱された空気を第２吹出口から前記一方側方向へ送り出すとともに、前記第１吹出口が閉塞されるようルーバーを閉位置に設定する弱風暖房運転の実行手段とを備えたものであるのが望ましい。
【００１１】
このものでは、強風暖房運転を実行すれば、主導風路の第１吹出口および副導風路の第２吹出口から一方側へ向けて集中的に温風が送り出されるから、例えばその一方側が洗い場であれば、洗い場を速やかに暖めることが可能である。
【００１２】
また、弱風暖房運転により風量を制限した場合においても、副導風路の第２吹出口から一方側へ向けて集中的に温風が送り出されるから、例えばその一方側が洗い場であれば、洗い場まで十分に温風を循環させることが可能である。
【発明の効果】
【００１３】
以上のように、本発明によれば、衣類乾燥運転の際、ランドリーパイプに吊り下げられた衣類の乾燥を全体で均一に進行させることが可能であるから、その分、乾燥時間を短縮でき、衣類乾燥効率が向上する。
【図面の簡単な説明】
【００１４】
【図１】図１は、本発明の実施の形態に係る浴室暖房乾燥機の設置状態を示す図である。
【図２】図２は、本発明の実施の形態に係る浴室暖房乾燥機の下面カバーを取り外して浴室側から見た状態を示す図である。
【図３】図３は、本発明の実施の形態に係る浴室暖房乾燥機の縦断面概略図である。
【図４】図４は、本発明の実施の形態に係る浴室暖房乾燥機の衣類乾燥運転動作を示すフローチャートである。
【図５】図５は、本発明の実施の形態に係る浴室暖房乾燥機と従来の浴室暖房乾燥機との衣類乾燥運転時の衣類乾燥度合の変化を示すグラフである。
【図６】図６は、本発明の実施の形態に係る浴室暖房乾燥機の暖房運転動作を示すフローチャートである。
【図７】図７は、従来の浴室暖房乾燥機の縦断面概略図である。
【発明を実施するための形態】
【００１５】
次に、本発明の実施の形態に係る浴室暖房乾燥機について、添付図面を参照しながら具体的に説明する。
【００１６】
図１および図２に示すように、本発明の実施の形態に係る浴室暖房乾燥機１は、浴室４の天井壁４１に開設された取付口４０に対して埋め込み状態で取り付けられる略矩形箱状のケース本体１１と、その下面の開口部１１０を浴室４側から覆う下面カバー１２とを有している。また、ケース本体１１の内部空間１０には、浴室４内の空気を上記内部空間１０との間で循環させる循環ファン１３と、循環ファン１３によって上記内部空間１０に取り込まれた空気を加熱する熱交換器１４とが組み込まれており、さらにケース本体１１の前面板２２の外面には、浴室４内の空気を上記内部空間１０を通じて屋外へ排出する換気ファン１５が設けられている。
【００１７】
また、図示しないが、上記浴室暖房乾燥機１には、浴室４内の温度（室温）を検知する室温センサと、熱交換器１４への入水温を検知する湯温センサと、浴室暖房乾燥機１における衣類乾燥運転や暖房運転等の動作を制御する制御回路とが組み込まれている。この制御回路は、循環ファン１３の回転動作を制御する循環ファン制御部と、換気ファン１５の回転動作を制御する換気ファン制御部と、ルーバーの開度を調整するルーバー制御部と、予め設定された衣類の乾燥時間Ｓ１や浴室の暖房時間Ｓ２を計測するタイマ部と、室温センサの検知温度を所定の基準温度と比較する室温判定部と、湯温センサの検知温度を基準入水温と比較する湯温判定部とを備えているとともに、浴室４の内外に設けられたリモコン５に対して図示しない電気配線を通じて繋がっている。
【００１８】
図１に示すように、本実施の形態では、浴室４の前壁４２に沿って略長方形状の浴槽４４が配設されており、浴室４の後壁４３側に洗い場４５が設けられている。また、浴室４の取付口４０は、浴槽４４の上方位置、即ち、天井壁４１の前壁４２寄りに開設されている。さらに、浴槽４４の上方で且つ浴室４の右側壁４６および左側壁４７の相互間には、衣類等を吊り下げるための二本のランドリーパイプ４８，４９が横並びで架設されている。従って、上記浴室暖房乾燥機１は、浴室４の取付口４０に取り付けた状態において、ランドリーパイプ４８，４９の上方位置（浴槽４４の上方位置）で且つ天井壁４１の前壁４２寄りに配設され、ケース本体１１の前面板２２は、洗い場４５側（浴室４の後壁４３側）に面する。
【００１９】
ケース本体１１の上面板２１は、略長方形状に形成されており、この上面板２１の各辺から下方へ前面板２２、後面板２３、左側面板２４および右側面板２５が形成されている。これら周面板２２，２３，２４，２５の下端縁で囲まれた略矩形状の開口部１１０は、浴槽４４の上域の空間に臨んでいる。
【００２０】
上記周面板２２，２３，２４，２５の下端縁の外周には、その周縁から水平外方へ広がるようにフランジ２６が形成されている。上記フランジ２６は、ケース本体１１の下面全周に亘って設けられており、ケース本体１１は、このフランジ２６の上面が取付口４０の外周縁の下面側に当接させた状態でボルトナットを用いて固定される。尚、ケース本体１は、浴室４の天井裏に吊り下げ、上記フランジ２６が取付口４０の外周縁の上面側に当接させた状態で固定しても良い。
【００２１】
因みに、本明細書では、便宜上、浴室４の前後壁４２，４３相互が対向する方向をケース本体１１の前後方向、左右側壁４６，４７相互が対向する方向をケース本体１１の左右方向としているが、これら前後左右方向は、実際の浴室暖房機における前後左右方向と異なる場合がある。
【００２２】
循環ファン１３は、クロスフローファンであり、その回転軸線がケース本体１１の左右両側面板２４，２５へ向かって水平に延び且つ前面板２２と略平行になるよう配設されている。
【００２３】
熱交換器１４は、ケース本体１１の左右方向へ縦並びで配設される複数の矩形平板状のフィンと、これらフィンに対して左右方向から貫設される吸熱管とで構成されており、この吸熱管には、温水循環管路を通じて外部の給湯装置が接続されている。また、図示しないが、吸熱管の上流側には、給湯装置からの温水の供給を遮断可能な熱動弁が設けられている。
【００２４】
図２および図３に示すように、熱交換器１４は、循環ファン１３の下方を覆うように開口部１１０に沿って横設される矩形状の第１ブロック１４１と、循環ファン１３の後方を覆うように後面板２３と略平行に立設される矩形状の第２ブロック１４２とからなる側面視略Ｌ字状に構成されている。この第１ブロック１４１は、開口部１１０の中央より後面板２３寄りに設けられ、第２ブロック１４２は、開口部１１０の中央より後面板２３側で且つその後面板２３から一定距離離れた位置に設けられている。
【００２５】
下面カバー１２は、その周縁が全周に亘って上方へ起立する略矩形平皿状に形成されており、ケース本体１１のフランジ２６に対して浴室４の内側から着脱可能な状態で取り付けられる。この下面カバー１２には、ケース本体１１の左右方向へ長い複数のスリット１２１と、ケース本体１１の左右方向へ長い略矩形状の吹出用開口１２２とが開設されている。
【００２６】
上記スリット１２１は、下面カバー１２の中央より後方側（後面板２３側）の略領域全体に亘って形成されており、このスリット１２１を介して浴室４内とケース本体１１の内部空間１０における熱交換器１４の配設部とが繋がっている。一方、吹出用開口１２２は、下面カバー１２の中央より前方側（前面板２２側）の略中間部に形成されており、後述する第１吹出口２７０および第２吹出口２８０は、この吹出用開口１２２から浴室４内に臨んでいる。
【００２７】
図３に示すように、ケース本体１１の内部空間１０には、開口部１１０の中央より前面板２２側の位置から循環ファン１３の外周前方へ向かって略垂直上方に延びる第１隔壁２７と、前面板２２の下端縁内側から循環ファン１３の前方側へ向かって斜め上方に延び、さらに循環ファン１３の外周上部に沿って略円弧状に下方湾曲し、熱交換器１４の第２ブロック１４２の上端部に接する位置まで延びる第２隔壁２８とが設けられている。尚、熱交換器１４の第１ブロック１４１の前端部は、上記第１隔壁２７の略中間部に接している。
【００２８】
ケース本体１１の内部空間１０には、これら第１隔壁２７および第２隔壁２８によって、循環ファン１３の配設部から開口部１１０の前面板２２側へ向かって延びる循環側導風路１０１と、開口部１１０から前面板２２に開設された連通孔２２０へ繋がる換気側導風路１０２とが画成される。
【００２９】
また、上記連通孔２２０は、換気ファン１５の筐体内部に繋がっている。従って、換気ファン１５を回転させた際には、浴室４内の空気がスリット１２１を通って換気側導風路１０２へ導かれ、さらに換気ファン１５の筐体内部を通って屋外へ排出される。
【００３０】
循環側導風路１０１は、循環ファン１３の配設部および熱交換器１４の配設部を介して、空気の吸込口となる開口部１１０に繋がっている。従って、循環ファン１３を回転させた際には、浴室４内の空気がスリット１２１を通ってケース本体１１内の熱交換器１４の配設部および循環ファン１３の配設部へ順に導かれ、さらに上記循環側導風路１０１を通って再び浴室４内へ送り出される。
【００３１】
循環側導風路１０１の下流側には、循環側導風路１０１の下流側の開口部から第２隔壁２８と略平行に斜め上方へ向かって延びる第３隔壁２９が設けられている。循環側導風路１０１の下流側の領域には、この第３隔壁２９によって、浴槽４４側へ向かって略垂直下方へ延びる主導風路１０３と、洗い場４５側へ向かって斜め下方（前面板２２の下端側）へ延びる副導風路１０４とが画成される。
【００３２】
副導風路１０４の下流側の開口である第２吹出口２８０は、前面板２２の下端に沿って開設されており、主導風路１０３の下流側の開口である第１吹出口２７０は、第２吹出口２８０の浴槽４４側に隣接して開設されている。
【００３３】
これら第１吹出口２７０および第２吹出口２８０は、前面板２２と略平行で且つ左右両側面板２４，２５へ向かって長い矩形状に形成されており、循環ファン１３を回転させた際には、ケース本体１１内へ取り込まれた空気が浴室４へ向けて層状に送り出されるように構成されている。
【００３４】
図２および図３に示すように、主導風路１０３の下流側には、循環ファン１３によってその主導風路１０３へ送り込まれた空気の吹出方向を浴室４の一方側（ここでは、洗い場４５側）や他方側（ここでは、浴槽４４側）へ変向可能なルーバー１６が設けられている。このルーバー１６は、ケース本体１１の左右方向へ長い横長矩形平板状の第１整流板１６１および第２整流板１６２と、それら各整流板１６１，１６２の左右端相互を繋ぐ側端板１６３とで構成されており、この側端板１６３に設けられた図示しない支軸部が主導風路１０３の左右側面に対して回動可能な状態で軸支されている。
【００３５】
図示しないが、側端板１６３の支軸部には、駆動モータが接続されており、この駆動モータによってルーバー１６の角度が調整される。具体的には、ルーバー１６を第１の開位置まで回動させれば、循環ファン１３によって主導風路１０３へ送り込まれた空気は、整流板１６１，１６２に沿って浴室４内の浴槽４４側へ向けて送り出される。また、ルーバー１６を第２の開位置まで回動させれば、循環ファン１３によって主導風路１０３へ送り込まれた空気は、整流板１６１，１６２に沿って浴室４内の洗い場４５側へ向けて送り出される。
【００３６】
第１整流板１６１は、第１吹出口２７０と略同一の幅寸法および長さ寸法に設定されており、ルーバー１６を所定の閉位置まで回動させることで、その第１整流板１６１が第１吹出口２７０を閉塞し、主導風路１０３から浴室４内への空気の送出を阻止するように構成されている。また、第２整流板１６２は、第１整流板１６１より短い幅寸法に形成されており、第１整流板１６１と所定の間隔をもって略平行に並設されている。
【００３７】
第２吹出口２８０は、第１吹出口２７０よりも洗い場４５側の位置に配設されており、常時開放している。従って、循環ファン１３を回転させた際、ケース本体１１の開口部１１０から循環側導風路１０１へ導かれた浴室４内の空気は、副導風路１０４を通って常に浴室４の一方側（ここでは、洗い場４５側）へ送り出される。
【００３８】
尚、本実施の形態では、上記第１吹出口２７０および第２吹出口２８０と略平行にランドリーパイプ４８，４９が配設される。特に、浴槽４４側のランドリーパイプ４８は、ルーバー１６を第１の開位置に回動させたときの主導風路１０３の延長方向に配設され、洗い場４５側のランドリーパイプ４９は、副導風路１０４の延長方向に配設される。
【００３９】
［衣類乾燥運転について］
次に、上記浴室暖房乾燥機１による衣類乾燥運転の制御動作の一例について、図４の作動フローチャートを参照しながら具体的に説明する。
【００４０】
まず、リモコン５の図示しない衣類乾燥運転スイッチによって衣類乾燥運転開始の指示がなされると、外部の給湯装置へ熱源作動信号を送信するとともに、熱交換器１４の上流側に設けられた図示しない熱動弁を開く。すると、給湯装置から熱交換器１４へ温水の循環供給が開始される（ＳＴ１０１）。
【００４１】
そして、図示しない駆動モータによってルーバー１６を第１の開位置まで回動させるとともに、循環ファン１３を所定の強回転数にて回転させ、さらに換気ファン１５を回転させる。また、リモコン５の入力情報に基づいて乾燥時間Ｓ１および風向（第１吹出口２７０からの空気の送出方向）の設定を行う。すると、浴室４内の空気が下面カバー１２のスリット１２１を通ってケース本体１１の内部へ導かれ、その一部は換気側導風路１０２を通って屋外へ排出され、一部は熱交換器１４の配設部を通過した後、循環側導風路１０１を通って再び浴室４内へ送り出される（ＳＴ１０２〜ＳＴ１０３）。
【００４２】
このようにして、タイマ部の計測時間が所定の乾燥時間Ｓ１に達するまでの間、浴室４内の空気を屋外へ排出するとともに、浴室４内の空気を熱交換器１４で加熱しつつ、温風として浴室４内へ送出する（ＳＴ１０４）。
【００４３】
このとき、熱交換器１４によって加熱された空気は、主導風路１０３の第１吹出口２７０からルーバー１６の整流板１６１，１６２の先端縁側（ここでは、浴槽４４側）へ向けて送り出されると同時に、副導風路１０４の第２吹出口２８０から洗い場４５側へ向けても送り出される。その結果、温風が浴槽４４側のランドリーパイプ４８および洗い場４５側のランドリーパイプ４９に各別に吊り下げられた衣類全体へ常時吹き当たり、それら衣類の乾燥を全体で均一に進行させる。
【００４４】
そして、タイマ部の計測時間が乾燥時間Ｓ１に達すれば（ＳＴ１０４のステップでＹｅｓ）、衣類が十分に乾燥したとして、外部の給湯装置へ停止信号を送信するとともに図示しない熱動弁を閉じ、熱交換器１４への温水の循環供給を停止する。また、図示しない駆動モータによってルーバー１６を閉位置まで回動させるとともに、循環ファン１３および換気ファン１５の回転を停止させ、衣類乾燥運転を終了する（ＳＴ１０５〜ＳＴ１０６）。
【００４５】
尚、図５のグラフＡは、上記実施の形態に係る浴室暖房乾燥機１において衣類乾燥運転時の衣類乾燥度合の時間的変化を測定した結果を示し、グラフＢは、既述従来の浴室暖房乾燥機９において衣類乾燥運転時の衣類乾燥度合の時間的変化を測定した結果を示している。
【００４６】
具体的には、室温が１５℃で湿度が６０％の条件下において合計４ｋｇとなる量の衣類を用い、この衣類を合計５．６５ｋｇになるまで加湿させたもの（乾燥率０％）が、衣類乾燥運転を開始してから元の重量（乾燥率１００％）に戻るまでの時間を本実施の形態に係る浴室暖房乾燥機１と既述従来の浴室暖房乾燥機９とで各別に測定した。これらのグラフを比較すると、本実施の形態に係る浴室暖房乾燥機１の方が従来の浴室暖房乾燥機９よりも短い時間で衣類の乾燥が進行し、より早く元の乾燥状態（乾燥率１００％）に達していることが分かる。
【００４７】
ところで、洗い場４５側のランドリーパイプ４９にのみ衣類を吊り下げて乾燥を行う場合は、リモコン５で第１吹出口２７０からの空気の送出方向（風向）を洗い場４５側に設定すれば、上記ＳＴ１０３のステップにて、整流板１６１，１６２の先端縁が洗い場４５側へ向くようルーバー１６の角度が調整される。すると、熱交換器１４によって加熱された空気は、第２吹出口２８０から洗い場４５側へ向けて送り出されると同時に、第１吹出口２７０からも洗い場４５側へ向けて送り出される。その結果、温風が洗い場４５側のランドリーパイプ４９に吊り下げられた衣類全体へ集中的に行き渡り、その衣類の乾燥を全体で均一に進行させる。
【００４８】
［暖房運転について］
次に、上記浴室暖房乾燥機１による暖房運転の制御動作の一例について、図６の作動フローチャートを参照しながら具体的に説明する。
【００４９】
まず、リモコン５の図示しない暖房運転スイッチによって暖房運転開始の指示がなされると、外部の給湯装置へ熱源作動信号を送信するとともに、熱交換器１４の上流側に設けられた図示しない熱動弁を開く。すると、給湯装置から熱交換器１４へ温水の循環供給が開始される（ＳＴ２０１）。
【００５０】
そして、図示しない駆動モータによってルーバー１６を第２の開位置まで回動させるとともに、リモコン５の入力情報に基づいて暖房時間Ｓ２および暖房温度Ｔ１を設定するとともに、風向（第１吹出口２７０からの空気の送出方向）を洗い場４５側に設定し、さらには熱交換器１４への入水温が予め設定された基準入水温（ここでは、４０℃）に達するのを待って、循環ファン１３を所定の強回転数にて回転させる。すると、浴室４内の空気が下面カバー１２のスリット１２１を通ってケース本体１１の開口部１１０の後面板２３側の領域へ導かれ、熱交換器１４の配設部を通過した後、循環側導風路１０１を通って再び浴室４内へ送り出される（ＳＴ２０２〜ＳＴ２０５）。
【００５１】
このようにして、タイマ部の計測時間が所定の暖房時間Ｓ２に達するか、或いは、室温センサの検知温度が所定の第１基準温度（ここでは、暖房温度Ｔ１より１℃低い値）より高くなるまでの間、浴室４内の空気を熱交換器１４で加熱しつつ、温風として送出する（ＳＴ２０６〜ＳＴ２０７）。
【００５２】
このとき、熱交換器１４によって加熱された空気は、主導風路１０３の第１吹出口２７０からルーバー１６の整流板１６１，１６２の先端縁側（ここでは、洗い場４５側）へ向けて送り出されると同時に、副導風路１０４の第２吹出口２８０からも洗い場４５側へ向けて送り出される。その結果、温風が洗い場４５側へ集中的に行き渡り、洗い場４５の温度を速やかに上昇させる。
【００５３】
また、上述した強回転にて温風の循環を行っている間に、室温センサの検知温度が第１基準温度（暖房温度Ｔ１より１℃低い値）より高くなった場合（ＳＴ２０７のステップでＹｅｓ）は、循環ファン１３の回転数を所定の中回転数に設定して風量を制限するとともに、室温センサの検知温度がリモコン５で設定された暖房温度Ｔ１以下である条件の下、ルーバー１６を開状態で維持する（ＳＴ２０８〜ＳＴ２１０）。
【００５４】
また、上述した中回転にて温風の循環を行ってもなお、室温センサの検知温度が暖房温度Ｔ１より高い場合（ＳＴ２０９のステップでＹｅｓ）は、浴室４が十分に温まったとして、ルーバー１６を閉じて第１吹出口２７０を閉塞させるとともに、循環ファン１３の回転数を所定の弱回転数に設定して風量をさらに制限する。これにより、熱交換器１４によって加熱された空気は、第２吹出口２８０のみから洗い場４５側へ向けて集中的に送り出され、浴室暖房乾燥機１と洗い場４５との間で温風を循環させる。この弱回転での温風の循環は、室温センサの検知温度が所定の第２基準温度（ここでは、暖房温度Ｔ１より１℃高い値）以下である条件下において行われる（ＳＴ２１１〜ＳＴ２１２）。
【００５５】
しかしながら、上述した弱回転にて温風の循環を行ってもなお、室温センサの検知温度が第２基準温度（暖房温度Ｔ１より１℃高い値）より高い場合（ＳＴ２１２のステップでＹｅｓ）は、熱動弁を閉じて熱交換器１４への温水の循環供給を遮断し、ケース本体１１内へ取り込まれた空気の加熱を中断する。そして、室温センサの検知温度が第２基準温度以下になれば、熱動弁を開いて給湯装置から熱交換器１４への温水の循環供給を再開し、再び上述したＳＴ２１１以降のステップを繰り返す（ＳＴ２１３〜ＳＴ２１５）。
【００５６】
その後、室温センサの検知温度が暖房温度Ｔ１以下になれば（ＳＴ２０９のステップでＮｏ）、ルーバー１６を開き、その際の上記検知温度が第１基準温度（暖房温度Ｔ１より１℃低い値）以下の場合（ＳＴ２０７のステップでＹｅｓ）は、循環ファン１３の回転数を中回転に設定し、上述したＳＴ２０９以降のステップを繰り返す。一方、上記検知温度が第１基準温度（暖房温度Ｔ１より１℃低い値）より高い場合（ＳＴ２０７のステップでＮｏ）は、循環ファン１３の回転数を強回転に設定し、上述したＳＴ２０６以降のステップを繰り返す。
【００５７】
そして、タイマ部の計測時間が暖房時間Ｓ２に達すれば（ＳＴ２０６のステップでＹｅｓ）、外部の給湯装置へ停止信号を送信するとともに図示しない熱動弁を閉じ、熱交換器１４への温水の循環供給を停止する。また、図示しない駆動モータによってルーバー１６を閉位置まで回動させるとともに、循環ファン１３の回転を停止させ、暖房運転を終了する（ＳＴ２１６〜ＳＴ２１７）。
【００５８】
尚、図示しないが、上述したＳＴ２０７からＳＴ２１５のステップ実行中にタイマ部の計測時間が暖房時間Ｓ２に達した場合も、上記ＳＴ２１６およびＳＴ２１７のステップを実行し、暖房運転を終了させる。
【００５９】
このように、上記浴室暖房乾燥機１によれば、衣類乾燥運転の際、第１吹出口２７０から洗い場４５側へ温風を送り出すと同時に、第２吹出口２８０から浴槽４４側へ温風を送り出す第１の乾燥運転を実行すれば、ランドリーパイプ４８，４９に吊り下げられた衣類全体の乾燥を均一に進行させることが可能であるから、その分、乾燥時間を短縮できる。また、第１吹出口２７０および第２吹出口２８０から洗い場４５側へ向けて集中的に温風を送り出す第２の乾燥運転を実行すれば、洗い場４５側のランドリーパイプ４９に吊り下げられた衣類全体の乾燥を均一に且つ速やかに進行させることが可能であるから、乾燥時間を一層短縮できる。よって、衣類乾燥効率が良い。
【００６０】
また、上記浴室暖房乾燥機１によれば、暖房運転の際、弱風暖房運転により風量を制限しても、洗い場４５側まで十分に温風を循環させることが可能であるから、洗い場４５の温度を安定的に維持できる。さらに、洗い場４５の温度が低下しても、強風暖房運転を実行すれば速やかに暖めることが可能であるから、洗い場４５の温度をより安定的に維持できる。
【００６１】
尚、上記第１整流板１６１は、第１吹出口２７０および第２吹出口２８０を合わせた幅寸法に設定し、ルーバー１６を所定の閉位置まで回動させた際に、その第１整流板１６１が第１吹出口２７０および第２吹出口２８０を共に閉塞するように構成してもよい。
【００６２】
このものでは、上述したＳＴ２０９のステップにて、室温センサの検知温度が暖房温度Ｔ１より高いと判定された場合に、第１吹出口２７０および第２吹出口２８０の開度が小さくなるようにルーバー１６の角度を変更した上で循環ファン１３の回転数を所定の弱回転数に設定し、風量を制限するような制御構成とすることで、熱交換器１４によって加熱された空気が、開度の小さくなった第１吹出口２７０および第２吹出口２８０から洗い場４５側へ向けて集中的に送り出されるから、上記実施形態と同様、洗い場４５の温度を安定的に維持できる。
【符号の説明】
【００６３】
１    浴室暖房乾燥機
１０  ケース本体の内部空間
１０３  主導風路
１０４  副導風路
１１  ケース本体
１３  循環ファン
１４  熱交換器
１５  換気ファン
１６  ルーバー
２７０  第１吹出口
２８０  第２吹出口
４    浴室
４４  浴槽（他方）
４５  洗い場（一方）
４８，４９  ランドリーパイプ
【図１】
0005656901.tif 000002
【図２】
0005656901.tif 000003
【図３】
0005656901.tif 000004
【図４】
0005656901.tif 000005
【図５】
0005656901.tif 000006
【図６】
0005656901.tif 000007
【図７】
0005656901.tif 000008